【手続補正書】
【提出日】平成29年8月22日(2017.8.22)
【手続補正１】
【補正対象書類名】明細書
【補正対象項目名】発明の名称
【補正方法】変更
【補正の内容】
【発明の名称】電子機器
【手続補正２】
【補正対象書類名】明細書
【補正対象項目名】０００１
【補正方法】変更
【補正の内容】
【０００１】
本発明は、電子機器に関し、特に機器本体に対して回転自在に支持された構造体を有する電子機器において機器本体と構造体とを電気的に接続するフレキシブル配線基板の構成に関する。
【手続補正３】
【補正対象書類名】明細書
【補正対象項目名】０００７
【補正方法】変更
【補正の内容】
【０００７】
本発明に係る電子機器は、機器本体と、前記機器本体に対して回転自在に支持される構造体と、を備える電子機器であって、前記機器本体に支持されて前記構造体の回転中心に配置されるシャフトと、接合部材を介して前記シャフトの外周面に巻き付けられて保持されるフレキシブル配線基板と、を有し、前記フレキシブル配線基板は、前記シャフトに対する巻き始めの部位となる巻き付け開始部と、配線部を有し、前記シャフトのスラスト方向における幅が前記巻き付け開始部よりも広い巻き付け本体部と、前記巻き付け開始部と前記巻き付け本体部との間に設けられ、前記シャフトのスラスト方向における幅が前記巻き付け開始部の幅から前記巻き付け本体部の幅へと連続的に拡張する拡張部と、を有し、前記フレキシブル配線基板において、少なくとも前記巻き付け開始部および前記拡張部にはカバーレイを開口させるカバーレイ開口領域が形成され、少なくとも前記巻き付け開始部および前記拡張部には、カバーレイを開口させるカバーレイ開口領域が形成されていることを特徴とする。
【手続補正４】
【補正対象書類名】明細書
【補正対象項目名】００１８
【補正方法】変更
【補正の内容】
【００１８】
表示装置５７は、表示パネル５７ａ、ＦＰＣ５７ｂ，５７ｃ及び中継基板５７ｄを備える。表示パネル５７ａには、例えば、液晶ディスプレイ（ＬＣＤ）や有機ＥＬディスプレイ等が用いられる。中継基板５７ｄにはコネクタ５７ｄ１，５７ｄ２，５７ｄ３が実装されており、中継基板５７ｄは、表示パネル５７ａの背面に貼り付けられて固定されている。表示パネル５７ａから延出するＦＰＣ５７ｂ，５７ｃは、その延出元から概ね１８０°折り曲げられて、中継基板５７ｄに実装されているコネクタ５７ｄ１，５７ｄ２に接続されている。
【手続補正５】
【補正対象書類名】明細書
【補正対象項目名】００２２
【補正方法】変更
【補正の内容】
【００２２】
ＦＰＣ５５の片側には予め、巻き付け開始部５５ａを含む一定の範囲に両面テープ５８が貼り合わされている。図３（ａ），（ｂ）は、巻き付け開始部５５ａがシャフト５２に貼り付けられる状態をＦＰＣ５５の表裏面のそれぞれから見たときの平面図である。
【手続補正６】
【補正対象書類名】明細書
【補正対象項目名】００２８
【補正方法】変更
【補正の内容】
【００２８】
巻き付け本体部５５ｃには、導体除去部５５ｅと、配線部５５ｆとが設けられている。導体除去部５５ｅは、巻き付け本体部５５ｃにおいて拡張部５５ｂに近接する一部の領域において、ＦＰＣ５５の導体部分をエッチング等の処理により除去することによって形成されている。その結果、本実施形態では、導体除去部５５ｅは、カバーレイ開口領域５５ｄと配線部５５ｆとの間に形成されている。これにより、カバーレイ開口領域５５ｄのカバーレイ開口端５５ｇが、巻き付け本体部５５ｃ側に、シャフト５２のスラスト方向と平行な直線状に形成されている。配線部５５ｆは、二叉に分かれた一方の端部が本体１０に設けられた制御回路基板１０ａに実装されたコネクタ１０ａ１に接続され、他方の端部が表示装置５７の中継基板５７ｄに実装されたコネクタ５７ｄ３に接続されるように、配線群が形成された領域である。
【手続補正７】
【補正対象書類名】明細書
【補正対象項目名】００４１
【補正方法】変更
【補正の内容】
【００４１】
更に、ＦＰＣ７５において、第１のダミー配線部７５ｘ及び第２のダミー配線部７５ｙは、シャフト５２のスラスト方向と平行なストライプ形状を有している。つまり、第１のダミー配線部７５ｘ及び第２のダミー配線部７５ｙはそれぞれ、シャフト５２のスラスト方向と平行なライン状の複数の配線が、シャフト５２のラジアル方向に所定の間隔で並べられた構造を有する。これにより、シャフト５２にＦＰＣ７５を巻き付ける際にＦＰＣ７５を曲げることによって生じる反発力を和らげることができる。したがって、第１のダミー配線部７５ｘ及び第２のダミー配線部７５ｙを設けても、過度に反発力が増大することはなく、よって、両面テープ５８とＦＰＣ７５とを安定的に密着させてシャフト５２に巻き付けることができる。
【手続補正８】
【補正対象書類名】明細書
【補正対象項目名】００４３
【補正方法】変更
【補正の内容】
【００４３】
＜第４実施形態＞
第４実施形態では、第１実施形態で説明したＦＰＣ５５の第３の変形例であるＦＰＣ８５について説明する。図９（ａ）は、ＦＰＣ８５の展開図であり、図９（ｂ），（ｃ）は、シャフト８２に対するＦＰＣ８５の巻き始めの状態を示す平面図である。なお、ＦＰＣ８５の構成部であってＦＰＣ５５の構成部と実質的に同じ部位については、同じ符号を付して、詳細な説明を省略する。また、撮像装置１００の内部におけるＦＰＣ８５の配置形態もＦＰＣ５５の配置形態と同様であるため、その説明を省略する。
【手続補正９】
【補正対象書類名】明細書
【補正対象項目名】００４５
【補正方法】変更
【補正の内容】
【００４５】
位置合わせ部８５ａは、巻き付け開始部５５ａの先端側（つまり、巻き付け本体部５５ｃとは反対側）に設けられている。シャフト８２のスラスト方向を位置合わせ部８５ａ及び巻き付け開始部５５ａの幅方向と定義したときに、位置合わせ部８５ａの幅寸法は、巻き付け開始部５５ａの幅寸法よりも長く設定されている。シャフト８２には、位置合わせ部８５ａの幅寸法よりも長い、図３（ｃ）に示した溝部５２ａと同等形状の、底面が平らな溝部８２ａが形成されている。シャフト８２にＦＰＣ８５を巻き付ける際には、先ず、溝部８２ａに位置合わせ部８５ａを当接させてシャフト８２のスラスト方向（図９（ｂ）に示すＸ方向）に対する位置合わせを行う。続いて、位置合わせ部８５ａの先端部と溝部８２ａの端面とを平行に重ね合わせることによって、シャフト８２のラジアル方向（図９（ｂ）に示すＹ方向）に対する位置合わせを行う。そして、位置合わせが完了した後に、両面テープ８８を介してＦＰＣ８５をシャフト８２に巻き付けていき、両面テープ８８の終端部８８ａまでの巻き付けが終了すると、巻き付け作業は完了する。
【手続補正１０】
【補正対象書類名】特許請求の範囲
【補正対象項目名】全文
【補正方法】変更
【補正の内容】
【特許請求の範囲】
【請求項１】
機器本体と、前記機器本体に対して回転自在に支持される構造体と、を備える電子機器であって、
前記機器本体に支持されて前記構造体の回転中心に配置されるシャフトと、
接合部材を介して前記シャフトの外周面に巻き付けられて保持されるフレキシブル配線基板と、を有し、
前記フレキシブル配線基板は、
前記シャフトに対する巻き始めの部位となる巻き付け開始部と、
配線部を有し、前記シャフトのスラスト方向における幅が前記巻き付け開始部よりも広い巻き付け本体部と、
前記巻き付け開始部と前記巻き付け本体部との間に設けられ、前記シャフトのスラスト方向における幅が前記巻き付け開始部の幅から前記巻き付け本体部の幅へと連続的に拡張する拡張部と、を有し、
前記フレキシブル配線基板において、少なくとも前記巻き付け開始部および前記拡張部にはカバーレイを開口させるカバーレイ開口領域が形成され、少なくとも前記巻き付け開始部および前記拡張部には、カバーレイを開口させるカバーレイ開口領域が形成されていることを特徴とする電子機器。
【請求項２】
機器本体と、前記機器本体に対して回転自在に支持される構造体と、を備える電子機器であって、
前記機器本体に支持されて前記構造体の回転中心に配置されるシャフトと、
接合部材を介して前記シャフトの外周面に巻き付けられて保持されるフレキシブル配線基板と、を有し、
前記フレキシブル配線基板は、
前記シャフトに対する巻き始めの部位となる巻き付け開始部と、
配線部を有し、前記シャフトのスラスト方向における幅が前記巻き付け開始部よりも広い巻き付け本体部と、
前記巻き付け開始部と前記巻き付け本体部との間に設けられ、前記シャフトのスラスト方向における幅が前記巻き付け開始部の幅から前記巻き付け本体部の幅へと連続的に拡張する拡張部と、を有し、
前記フレキシブル配線基板において、少なくとも前記巻き付け開始部および前記拡張部にはカバーレイを開口させるカバーレイ開口領域が形成され、
前記カバーレイ開口領域の端面形状は、前記シャフトのスラスト方向と平行な直線状または前記シャフトのラジアル方向を変位方向とする波形状であることを特徴とする電子機器。
【請求項３】
機器本体と、前記機器本体に対して回転自在に支持される構造体と、を備える電子機器であって、
前記機器本体に支持されて前記構造体の回転中心に配置されるシャフトと、
接合部材を介して前記シャフトの外周面に巻き付けられて保持されるフレキシブル配線基板と、を有し、
前記フレキシブル配線基板は、
前記シャフトに対する巻き始めの部位となる巻き付け開始部と、
配線部を有し、前記シャフトのスラスト方向における幅が前記巻き付け開始部よりも広い巻き付け本体部と、
前記巻き付け開始部と前記巻き付け本体部との間に設けられ、前記シャフトのスラスト方向における幅が前記巻き付け開始部の幅から前記巻き付け本体部の幅へと連続的に拡張する拡張部と、を有し、
前記巻き付け本体部に、前記配線部と電気的に絶縁され、前記配線部よりも前記巻き付け開始部に近接する領域に前記配線部との間に所定の間隙を設けて、第１のダミー配線部が形成されていることを特徴とする電子機器。
【請求項４】
前記第１のダミー配線部は、前記シャフトのスラスト方向と平行なストライプ形状を有することを特徴とする請求項３に記載の電子機器。
【請求項５】
前記配線部は、
前記シャフトのスラスト方向と平行な第１の直線配線部と、
前記シャフトのスラスト方向と直交する第２の直線配線部と、
前記第１の直線配線部と前記第２の直線配線部とを繋ぐ湾曲配線部と、を有し、
前記巻き付け本体部に、前記湾曲配線部、前記第１のダミー配線部および前記フレキシブル配線基板の外形端とで囲まれる領域に第２のダミー配線部が設けられていることを特徴とする請求項３または４に記載の電子機器。
【請求項６】
前記第２のダミー配線部は、前記シャフトのスラスト方向と平行なストライプ形状を有することを特徴とする請求項５に記載の電子機器。
【請求項７】
機器本体と、前記機器本体に対して回転自在に支持される構造体と、を備える電子機器であって、
前記機器本体に支持されて前記構造体の回転中心に配置されるシャフトと、
接合部材を介して前記シャフトの外周面に巻き付けられて保持されるフレキシブル配線基板と、を有し、
前記フレキシブル配線基板は、
前記シャフトに対する巻き始めの部位となる巻き付け開始部と、
配線部を有し、前記シャフトのスラスト方向における幅が前記巻き付け開始部よりも広い巻き付け本体部と、
前記巻き付け開始部と前記巻き付け本体部との間に設けられ、前記シャフトのスラスト方向における幅が前記巻き付け開始部の幅から前記巻き付け本体部の幅へと連続的に拡張する拡張部と、
前記シャフトのスラスト方向における幅が前記巻き付け開始部の幅よりも長く、前記巻き付け開始部の先端に設けられて前記シャフトに接着される位置合わせ部と、を有することを特徴とする電子機器。
【請求項８】
前記シャフトは、前記フレキシブル配線基板に設けられた位置合わせ部が接着される、底面が平らな溝部を有することを特徴とする請求項６に記載の電子機器。